(57)【要約】【課題】紛失時、故障時または不携帯時等における携帯端末の使用不可時間を容易に解消することができるようにする。【解決手段】管理局が、１加入者に対し１台以上の携帯端末を対応づけて管理した上で、そのうち主端末として登録されている１台の携帯端末に対してのみ、該加入者に対し割り当てた該加入者を識別するための通信アドレスである加入者アドレスを用いた通信を疎通させるための制御を行うとともに、予備端末として登録されている携帯端末からの要求に応じて、該携帯端末を主端末に切り替えるべく当該管理局に登録されている情報の書き換えを行うことを特徴とする。【選択図】図１
2009027416.tif 000002
【特許請求の範囲】
【請求項１】
管理局が、携帯端末と他の端末との通信を成立させるための制御を行う無線通信システムであって、
管理局は、１加入者に対し１台以上の携帯端末を対応づけて管理した上で、そのうち主端末として登録されている１台の携帯端末に対してのみ、該加入者に対し割り当てた該加入者を識別するための通信アドレスである加入者アドレスを用いた通信を成立させるための制御を行うとともに、予備端末として登録されている携帯端末からの要求に応じて、該携帯端末を主端末に切り替えるべく当該管理局に登録されている情報の書き換えを行う
ことを特徴とする無線通信システム。
【請求項２】
管理局は、加入者毎の使用端末を管理する加入者端末管理装置を含み、
前記加入者端末管理装置は、
加入者を識別するための情報と、該加入者の使用端末として登録される１台以上の携帯端末を識別するための端末識別情報と、前記１台以上の携帯端末について、該携帯端末が主端末か予備端末かを示す設定情報とを対応づけた加入者端末データを記憶する加入者端末データ記憶部と、
管理局が携帯端末から主端末と予備端末の切り替えを求める切替要求を受け付けた場合に、前記切替要求に含まれる要求元端末の端末識別情報に基づいて、前記要求元端末を主端末に切り替えるべく設定情報の書き換えを行う加入者端末管理用制御部とを備えた
請求項１に記載の無線通信システム。
【請求項３】
加入者端末管理用制御部は、管理局が携帯端末と他の端末との通信を求める発呼要求を受け付けた場合に、当該無線システムにおける携帯端末からの発呼要求であれば発呼要求に含まれる発信元端末の端末識別情報で示される携帯端末が主端末であるか否かを確認し、当該無線システムにおける加入者アドレスが着信先アドレスとして指定された発呼要求であれば発呼要求に含まれる着信先アドレスで示される加入者の主端末を着信先端末として特定する
請求項２に記載の無線通信システム。
【請求項４】
加入者端末データ記憶部は、加入者を識別するための情報と、該加入者の使用端末として登録される１台以上の携帯端末を識別するための端末識別情報と、前記１台以上の携帯端末について、該携帯端末が主端末か予備端末かを示す設定情報と、該携帯端末に対し割り当てた加入者が該携帯端末を識別するため通信アドレスであるサブアドレスとを対応づけた加入者端末データを記憶し、
前記加入者端末管理用制御部は、管理局が携帯端末から該携帯端末の使用者の他の使用端末に対する制御を求める制御要求であって、当該無線通信システムにおけるサブアドレスが制御対象アドレスとして指定された制御要求を受け付けた場合に、前記制御要求に含まれるサブアドレスおよび要求元端末の端末識別情報とに基づいて、制御対象の端末を特定する
請求項２または請求項３に記載の無線通信システム。
【請求項５】
管理局は、携帯端末から該携帯端末の使用者の他の使用端末との通信である使用端末間通信を求める制御要求を受け付けた場合に、前記制御要求に含まれる着信先アドレスと発信元端末の端末識別子とに基づいて特定された着信先端末との通信を成立させるための制御を行う
請求項４に記載の無線通信システム。
【請求項６】
携帯端末は、
ユーザ操作に応じて、当該携帯端末の使用者の他の使用端末とのデータ通信を求める制御要求を管理局に送信するデータ通信要求手段と、
前記データ通信要求手段が前記制御要求を送信することによって確立される前記他の使用端末との通信回線上に、当該携帯端末が備える記憶装置から読み出した所定のデータを送出するデータ送出手段と、
前記データ通信要求手段が前記制御要求を送信することによって確立される前記他の使用端末との通信回線上に送信されたデータを受信し、受信したデータを当該携帯端末が備える記憶装置の所定領域に書き込むデータ書込手段とを備えた
請求項５に記載の無線通信システム。
【請求項７】
携帯端末は、当該携帯端末と接続されている他の装置が備える記憶装置に対してデータを読み書きするインタフェースを備え、
データ書込手段は、受信したデータを、前記インタフェースを用いて前記他の装置が備える記憶装置の所定領域に書き込む
請求項６に記載の無線通信システム。
【請求項８】
管理局は、携帯端末から該携帯端末の使用者の他の使用端末の設定の変更を求める制御要求を受け付けた場合に、前記他の使用端末に前記制御要求を転送し、
携帯端末は、
ユーザ操作に応じて、該携帯端末の使用者の他の使用端末の設定の変更を求める制御要求を管理局に送信する設定変更要求手段と、
当該携帯端末の使用者の他の使用端末から当該携帯端末の設定の変更を求める制御要求が管理局に送信されたことによって管理局から転送される前記制御要求に応じて、当該携帯端末の設定を変更する設定変更実行手段とを備えた
請求項５に記載の無線通信システム。
【請求項９】
設定変更要求手段は、着信先端末に対し着信音量の変更を求める制御要求を送信し、
設定変更実行手段は、前記制御要求に応じて、当該携帯端末の着信音量の設定を変更する
請求項８に記載の無線通信システム。
【請求項１０】
設定変更要求手段は、着信先端末に対し電源ＯＦＦ操作を無効とする旨の設定変更を求める制御要求を送信し、
設定変更実行手段は、前記制御要求に応じて、当該携帯端末の電源ＯＦＦ操作を無効とする
請求項８に記載の無線通信システム。
【請求項１１】
設定変更要求手段は、着信先端末が主端末である場合に、使用端末間通信以外の機能をロックする旨の設定変更を求める制御要求を送信し、
設定変更実行手段は、前記制御要求に応じて、当該携帯端末における使用端末間通信以外の機能をロックする
請求項８に記載の無線通信システム。
【請求項１２】
着信先端末設定変更制御手段は、制御対象の携帯端末が圏内にいないことによって制御要求を転送できないと判断した場合には、前記制御要求を保存しておき、該携帯端末の次の位置登録要求受信時に前記制御要求を転送する
請求項８に記載の無線通信システム。
【請求項１３】
管理局は、携帯端末から該携帯端末の使用者の他の使用端末の所在地を示す情報を求める制御要求を受け付けた場合に、前記他の使用端末の所在地を検出して、検出された前記他の使用端末の所在地を示す情報を要求元の携帯端末に送信し、
携帯端末は、
ユーザ操作に応じて、当該携帯端末の使用者の他の使用端末の所在地を示す情報を求める制御要求を管理局に送信する使用端末所在地要求手段と、
前記使用端末所在地要求手段が前記制御要求を管理局に送信したことによって管理局から送信される他の使用端末の所在地を示す情報を表示する使用端末所在地表示手段とを備えた
請求項４項に記載の無線通信システム。
【請求項１４】
管理局が携帯端末と他の端末との通信を成立させるための制御を行う無線通信システムに適用される加入者毎の使用端末を管理する加入者端末管理装置であって、
加入者を識別するための情報と、該加入者の使用端末として登録される１台以上の携帯端末を識別するための端末識別情報と、前記１台以上の携帯端末について、該携帯端末が主端末か予備端末かを示す設定情報とを対応づけた加入者端末データを記憶する加入者端末データ記憶部と、
管理局が携帯端末から主端末と予備端末の切り替えを求める切替要求を受け付けた場合に、前記切替要求に含まれる要求元端末の端末識別情報に基づいて、前記要求元端末を主端末に切り替えるべく設定情報の書き換えを行う加入者端末管理用制御部とを備えた
ことを特徴とする加入者端末管理装置。
【請求項１５】
管理局が携帯端末と他の端末との通信を成立させるための制御を行う無線通信システムにおける携帯端末であって、
１加入者に対し１台以上の携帯端末を対応づけて管理した上で、そのうち主端末として登録されている１台の携帯端末に対してのみ、該加入者に対し割り当てた該加入者を識別するための通信アドレスである加入者アドレスを用いた通信を成立させるための制御を行うとともに、予備端末として登録されている携帯端末からの要求に応じて、該携帯端末を主端末に切り替えるべく当該管理局に登録されている情報の書き換えを行う管理局に対し、当該携帯端末を主端末に切り替える旨を求める制御要求を送信する制御部を備えた
ことを特徴とする携帯端末。
【請求項１６】
管理局が携帯端末と他の端末との通信を成立させるための制御を行う無線通信システムにおける通信サービス方法であって、
管理局が、１加入者に対し１台以上の携帯端末を対応づけて管理した上で、そのうち主端末として登録されている１台の携帯端末に対してのみ、該加入者に対し割り当てた該加入者を識別するための通信アドレスである加入者アドレスを用いた通信を成立させるための制御を行うとともに、予備端末として登録されている携帯端末からの要求に応じて、該携帯端末を主端末に切り替えるべく当該管理局に登録されている情報の書き換えを行う
ことを特徴とする通信サービス方法。
【請求項１７】
管理局が携帯端末と他の端末との通信を成立させるための制御を行う無線通信システムにおいて加入者毎の使用端末を管理するための加入者端末管理用プログラムであって、
加入者を識別するための情報と、該加入者の使用端末として登録される１台以上の携帯端末を識別するための端末識別情報と、前記１台以上の携帯端末について、該携帯端末が主端末か予備端末かを示す設定情報とを対応づけた加入者端末データを記憶する加入者端末データ記憶部を備えたコンピュータに、
管理局が携帯端末から主端末と予備端末の切り替えを求める切替要求を受け付けた場合に、前記切替要求に含まれる要求元端末の端末識別情報に基づいて、前記要求元端末を主端末に切り替えるべく設定情報の書き換えを行う処理
を実行させるための加入者端末管理用プログラム。
【請求項１８】
管理局が携帯端末と他の端末との通信を成立させるための制御を行う無線通信システムにおける携帯端末に適用される端末制御用プログラムであって、
コンピュータに、
１加入者に対し１台以上の携帯端末を対応づけて管理した上で、そのうち主端末として登録されている１台の携帯端末に対してのみ、該加入者に対し割り当てた該加入者を識別するための通信アドレスである加入者アドレスを用いた通信を成立させるための制御を行うとともに、予備端末として登録されている携帯端末からの要求に応じて、該携帯端末を主端末に切り替えるべく当該管理局に登録されている情報の書き換えを行う管理局に対し、当該携帯端末を主端末に切り替える旨を求める制御要求を送信する処理
を実行させるための端末制御用プログラム。
【発明の詳細な説明】
【技術分野】
【０００１】
本発明は、携帯端末が無線回線を介して通信を行う無線通信システム及びそれに用いる携帯端末、携帯端末の制御方法並びにプログラムに関する。
【背景技術】
【０００２】
携帯電話機等の携帯端末が生活の必需品になっている現在、携帯端末を紛失した時、故障させた時、またはどこかに忘れた時に不便や不安を感じた経験のある人は少なくない。さらに、紛失時において、それまでの行動範囲を大捜索しても見つからない場合や、故障時において修理できない場合などには新機種の購入をしなければならない場合もある。そのような場合には、再び使用可能になるまでに、販売店に出向く等のさらに不便を強いられることになる。また、紛失時や故障時の場合には、再び使用可能になるまでに多くの時間がかかる場合もある。
【０００３】
例えば、特許文献１，２には、紛失時等の捜索やセキュリティ確保のための技術として、位置情報の検出や遠隔操作による機能ロック等を行うための方法が記載されている。
【０００４】
また、特許文献３には、紛失した携帯電話機の内部情報を回収して、新しい携帯電話機でそれまでの使用勝手を再現させつつ、紛失した携帯電話機において内部情報を消去するための方法が記載されている。なお、特許文献３における携帯電話機の内部情報とは、電話帳情報、通信記録情報、画像情報、各種機能の設定情報である。
【０００５】
【特許文献１】特開２０００−２５３４５７号公報
【特許文献２】特開２００５−３３３５０１号公報
【特許文献３】特開２００６−１９８７３号公報
【発明の開示】
【発明が解決しようとする課題】
【０００６】
特許文献１，２のような位置情報の検出や遠隔操作による機能ロックを行えば、紛失時に早く発見できたり、他人の不正使用を防止することはできる。しかし、紛失時、故障時または不携帯時等において携帯端末の使用不可時間を解消することはできない。
【０００７】
なお、特許文献３に記載されている技術を利用すれば、紛失時であっても新しい携帯電話機にそれまでの使用勝手を再現させて、使用可能にすることができる。しかし、使用勝手を再現させたとしても、前の携帯電話機で利用していた携帯電話番号やメールアドレスといったアドレス情報を引き継がなければ、元のアドレス宛ての着信が受け取れないといった問題が生じる。アドレス情報を引き継ぐためには、サービス店等に出向き、前の携帯電話機とアドレス情報との対応づけを解消して新たな携帯電話機と対応づけるための手続きを行わなければならない。従って、その手続きが完了するまで携帯電話機の使用不可時間は解消されないことになる。
【０００８】
なお、ＳＩＭカード等の携帯電話機に装着させるＩＣカードを入れ替えることによって、アドレス情報を引き継ぐ方法が実現されている。しかし、ＩＣカードを入れ替えるためには、そのＩＣカードが装着された携帯電話機が手元になければならず、紛失時や不携帯時では不可能である。また、携帯電話機に装着されたＩＣカードに対し、遠隔操作で情報を読み書きすることによってアドレス情報を引き継ぐ方法も考えられるが、対象とする携帯電話機に遠隔操作命令が到達しなければならないといった問題がある。例えば、対象とする携帯電話機が圏外にいたり電源ＯＦＦになっている場合には、遠隔操作命令が到達されず、アドレス情報を引き継ぐことができない。また、遠隔操作によってＩＣカード内のアドレス情報を読み書きできるようにした場合、誤った操作や通信異常等で正しくない設定がされている状況が発生する可能性がある。そのような状況に完全に対処するのは困難であり、また、完全に対処できなければ不正使用の危険性が高まってしまうことにもなりうる。
【０００９】
そこで、本発明は、紛失時、故障時または不携帯時等における携帯端末の使用不可時間を容易に解消することができる携帯電話システム及びそれに用いる装置、携帯電話端末の制御方法並びにプログラムを提供することを目的とする。
【課題を解決するための手段】
【００１０】
本発明による無線通信システムは、管理局が、携帯端末と他の端末との通信を成立させるための制御を行う無線通信システムであって、管理局は、１加入者に対し１台以上の携帯端末を対応づけて管理した上で、そのうち主端末として登録されている１台の携帯端末に対してのみ、該加入者に対し割り当てた該加入者を識別するための通信アドレスである加入者アドレスを用いた通信を成立させるための制御を行うとともに、予備端末として登録されている携帯端末からの要求に応じて、該携帯端末を主端末に切り替えるべく当該管理局に登録されている情報の書き換えを行うことを特徴とする。
【００１１】
また、本発明による加入者端末管理装置は、管理局が携帯端末と他の端末との通信を成立させるための制御を行う無線通信システムに適用される加入者毎の使用端末を管理する加入者端末管理装置であって、加入者を識別するための情報と、該加入者の使用端末として登録される１台以上の携帯端末を識別するための端末識別情報と、前記１台以上の携帯端末について、該携帯端末が主端末か予備端末かを示す設定情報とを対応づけた加入者端末データを記憶する加入者端末データ記憶部と、管理局が携帯端末から主端末と予備端末の切り替えを求める切替要求を受け付けた場合に、前記切替要求に含まれる要求元端末の端末識別情報に基づいて、前記要求元端末を主端末に切り替えるべく設定情報の書き換えを行う加入者端末管理用制御部とを備えたことを特徴とする。
【００１２】
また、本発明による携帯端末は、管理局が携帯端末と他の端末との通信を成立させるための制御を行う無線通信システムにおける携帯端末であって、１加入者に対し１台以上の携帯端末を対応づけて管理した上で、そのうち主端末として登録されている１台の携帯端末に対してのみ、該加入者に対し割り当てた該加入者を識別するための通信アドレスである加入者アドレスを用いた通信を成立させるための制御を行うとともに、予備端末として登録されている携帯端末からの要求に応じて、該携帯端末を主端末に切り替えるべく当該管理局に登録されている情報の書き換えを行う管理局に対し、当該携帯端末を主端末に切り替える旨を求める制御要求を送信する制御部を備えたことを特徴とする。
【００１３】
また、本発明による通信サービス方法は、管理局が携帯端末と他の端末との通信を成立させるための制御を行う無線通信システムにおける通信サービス方法であって、管理局が、１加入者に対し１台以上の携帯端末を対応づけて管理した上で、そのうち主端末として登録されている１台の携帯端末に対してのみ、該加入者に対し割り当てた該加入者を識別するための通信アドレスである加入者アドレスを用いた通信を成立させるための制御を行うとともに、予備端末として登録されている携帯端末からの要求に応じて、該携帯端末を主端末に切り替えるべく当該管理局に登録されている情報の書き換えを行うことを特徴とする。
【００１４】
また、本発明による加入者端末管理用プログラムは、管理局が携帯端末と他の端末との通信を成立させるための制御を行う無線通信システムにおいて加入者毎の使用端末を管理するための加入者端末管理用プログラムであって、加入者を識別するための情報と、該加入者の使用端末として登録される１台以上の携帯端末を識別するための端末識別情報と、前記１台以上の携帯端末について、該携帯端末が主端末か予備端末かを示す設定情報とを対応づけた加入者端末データを記憶する加入者端末データ記憶部を備えたコンピュータに、管理局が携帯端末から主端末と予備端末の切り替えを求める切替要求を受け付けた場合に、前記切替要求に含まれる要求元端末の端末識別情報に基づいて、前記要求元端末を主端末に切り替えるべく設定情報の書き換えを行う処理を実行させることを特徴とする。
【００１５】
また、本発明による端末制御用プログラムは、管理局が携帯端末と他の端末との通信を成立させるための制御を行う無線通信システムにおける携帯端末に適用される端末制御用プログラムであって、コンピュータに、１加入者に対し１台以上の携帯端末を対応づけて管理した上で、そのうち主端末として登録されている１台の携帯端末に対してのみ、該加入者に対し割り当てた該加入者を識別するための通信アドレスである加入者アドレスを用いた通信を成立させるための制御を行うとともに、予備端末として登録されている携帯端末からの要求に応じて、該携帯端末を主端末に切り替えるべく当該管理局に登録されている情報の書き換えを行う管理局に対し、当該携帯端末を主端末に切り替える旨を求める制御要求を送信する処理を実行させることを特徴とする。
【発明の効果】
【００１６】
本発明によれば、紛失時、故障時または不携帯時等における携帯端末の使用不可時間を容易に解消することができる。
【発明を実施するための最良の形態】
【００１７】
実施形態１．
以下、本発明の第１の実施形態を図面を参照して説明する。図１は、本発明による無線通信システムの構成例を示すブロック図である。図１に示すように、本発明による無線通信システムは、コアネットワーク２に接続される複数の携帯端末１（携帯端末１ａ−１，１ａ−２，１ｂ）と、加入者端末管理装置３とを備える。ここで、コアネットワーク２とは、本無線通信システムにおける基幹通信ネットワークであり、ＢＴＳ（Base Transceiver Station：無線基地局），ＲＮＣ（Radio Network Controller：無線ネットワーク制御装置），ＭＳＣ（Mobile Switching Center ：移動通信交換局），ＨＬＲ（Home Location Register：ホーム端末位置情報管理装置）やＶＬＲ（Visitor Location System ：ビジター端末位置情報管理装置）等、携帯端末による通信（呼）を成立させるための各種装置を含む通信ネットワークを指している。なお、携帯電話機１とコアネットワーク２とは、具体的には、無線基地局（ＢＴＳ）との間で確立される無線通信回線によって接続される。なお、図１では、コアネットワーク２と加入者端末管理装置３とを分けて示しているが、加入者端末管理装置３は、コアネットワーク２の構成要素の一つである。以下、コアネットワーク２を構成している装置（携帯端末による通信（呼）を成立させるための装置）を総称して管理局と表現する場合がある。
【００１８】
本発明の無線通信システムでは、管理局側で１つの加入者番号（１契約毎に加入者に対して割り当てられる識別番号）に対し、複数の携帯端末を対応づけて管理し、それら複数の携帯端末のうち主端末（マスタ）として登録されている１台の携帯端末に対してのみ、通常サービスを提供するマスタ／リザーブ方式を採用する。これは、主端末（マスタ）ではなく予備端末（リザーブ）として登録されている携帯端末を用いた他人による不正使用を認めないもので、常に１台の主端末のみが通常サービスを受けられるものとしている。
【００１９】
ここで、通常サービスとは、加入者に対し割り当てた該加入者を識別するためのアドレス（以下、加入者アドレスという。）を用いて行われる通信を成立させるサービスをいう。加入者アドレスとは、例えば、携帯電話番号や携帯電子メールアドレスやＩＰアドレスである。また、加入者アドレスは、加入者番号に対応させたアドレスであるとも言える。なお、加入者番号をアドレスとして用いる場合には、加入者アドレスは加入者番号そのものであるとも言える。なお、加入者アドレスを用いた通信とは、具体的には、加入者間または他のシステムの加入者との通話や電子メールの送受信、インターネット接続等である。
【００２０】
なお、本発明は、各携帯端末がマスタであるかリザーブであるかを示す設定情報を管理局側（ここでは、加入者端末管理装置３）で保持し、携帯端末からのマスタ／リザーブ切替要求に応じて管理局側で保持している設定情報を書き換えることによって、マスタ／リザーブの切り替えを行うことを特徴とする。
【００２１】
以下、携帯端末１が携帯電話機である場合を例にして説明するが、携帯端末１は、携帯電話機に限定されず、電話機以外の携帯端末であってもよい。なお、図１に示す例では、加入者Ａが所有している複数の携帯電話機の例として、携帯電話機１ａ−１および携帯電話機１ａ−２を示している。ここでは、主端末として登録している携帯電話機を携帯電話機１ａ−１、予備端末として登録している携帯電話機を携帯電話機１ａ−２として示している。また、加入者Ｂが保有している携帯電話機の例として携帯電話機１ｂを示している。なお、加入者Ｂは１台の携帯電話機しか所有しておらず、携帯電話機１ｂは、マスタ／リザーブ対応でない一般的な携帯電話機の例として示している。また、携帯電話機の数は、図１に示す例に限定されず、加入者数および各加入者が所有する携帯電話機の数に複数存在する。
【００２２】
図２は、本発明の携帯端末（本例では携帯電話機１ａ−１および携帯電話機１ａ−２）の構成例を示すブロック図である。図２に示すように、本発明の携帯端末は、ネットワークインタフェース１１と、制御部１２と、記憶装置１３と、サブアドレス記憶部１４とを備える。
【００２３】
ネットワークインタフェース１１は、コアネットワーク２（図１参照）との通信インタフェースである。ネットワークインタフェース１１は、コアネットワーク２に設けられている無線基地局（図示せず。）との間で無線通信を行う。携帯電話機１が送信したデータは、無線基地局に受信されることでコアネットワーク２を介して指定した他の装置（例えば、携帯電話機１ａ−１に対しては、携帯電話機１ａ−２，１ｂや加入者端末管理装置３等。）に送信される。また、他の装置から携帯電話機１に向けて送信されたデータは、コアネットワーク２内において当該携帯電話機１と無線通信を行っている無線基地局に送られ、該無線基地局から携帯電話機１に送信される。
【００２４】
制御部１２は、記憶装置１３に記憶される携帯端末制御用プログラムに従って動作する。制御部１２は、例えばＣＰＵによって実現される。制御部１２は、記憶部１３に記憶される携帯端末制御プログラムに従って、他の装置にデータ（音声を符号化したデータを含む。）を送信したり、他の装置からデータを受信したりする。また、管理局からの制御要求に応じて無線回線を制御して通話回線を確立したり、受信電界レベルを測定したりする。また、ＧＰＳ信号を受信して位置情報を取得したりする。なお、本発明の携帯端末（すなわち、マスタ／リザーブ対応の携帯電話機）では、制御部１２は、マスタ／リザーブ対応の携帯端末制御用プログラム１２１ａに従って動作する。なお、マスタ／リザーブ対応の携帯端末制御用プログラム１２１ａとは、携帯端末として必要な機能を実現するための携帯端末制御用プログラムに、本発明におけるマスタ／リザーブ方式特有の機能を追加したものである。なお、本実施形態において、マスタ／リザーブ対応の携帯端末制御用プログラム１２１ａが実装する特有の機能とは、少なくとも管理局に対しマスタ／リザーブの切り替えを要求する機能である。
【００２５】
記憶装置１３は、携帯電話機１を制御するための携帯端末制御用プログラム（具体的には、マスタ／リザーブ対応の携帯端末制御用プログラム１２１ａ）を記憶する記憶装置である。
【００２６】
サブアドレス記憶部１４は、当該携帯電話機１に割り当てられたサブアドレスを記憶する。ここで、サブアドレスとは、加入者アドレス（例えば、携帯電話番号）に追加して使用される補助的なアドレスであって、同一加入者の使用端末として登録された複数の携帯電話機１を識別するために用いられる情報である。本実施形態では、登録された順番に応じた１からの昇順番号を用いる場合を例に説明する。以下、加入者毎の使用端末を識別するためのアドレスをフルアドレスと呼ぶ場合がある。ここで、マスタ／リザーブ対応の携帯電話機１におけるフルアドレスは、加入者アドレスにサブアドレスを追加したアドレスが該当する。一方、マスタ／リザーブ対応でない携帯電話機１におけるフルアドレスは、加入者アドレスが該当する。なお、本システムにおいて加入者間で識別されるアドレスは、マスタ／リザーブ対応であるか否かにかかわらず加入者アドレスである。なお、１加入者では、サブアドレスによって自身の使用端末を識別する。
【００２７】
また、加入者端末管理装置３は、加入者毎の使用端末を管理している装置である。図３は、加入者端末管理装置３の構成例を示すブロック図である。図３に示すように、加入者端末管理装置３は、ネットワークインタフェース３１と、制御部３２と、記憶装置３３と、加入者端末データ記憶部３４とを備える。なお、加入者端末管理装置３は、例えば、加入者情報を管理しているＨＳＳ（Home Subscriber Server）として実現されていてもよい。
【００２８】
ネットワークインタフェース３１は、コアネットワーク２（図１参照）との通信インタフェースである。加入者端末管理装置３は、コアネットワーク２を介して他の装置との間でデータを送受信する。
【００２９】
制御部３２は、記憶装置３３に記憶される加入者端末管理用プログラム３２１に従って動作する。制御部３２は、例えばＣＰＵによって実現される。制御部３２は、記憶装置３３に記憶される加入者端末管理用プログラム３２１に従って、着信先として示されたアドレスに対し実際に着信させる携帯電話機１を特定したり、要求元（発信元）として示された端末識別番号（携帯端末に予め設定されている固有の識別番号）やアドレスから加入者番号を認証したりする。また、加入者番号と携帯端末との対応においてマスタ／リザーブの設定を変更したりする。
【００３０】
記憶装置３３は、加入者毎の使用端末を管理するための加入者端末管理用プログラム１３１を記憶する記憶装置である。
【００３１】
加入者端末データ記憶部３４は、加入者に対し割り当てられる加入者アドレスとしての加入者番号と、その加入者の使用端末として登録される携帯電話機１の端末識別番号とを対応づけた情報であって、使用端末として複数の携帯電話機１を登録する場合には、さらに、各携帯電話機１について、該携帯電話機１に割り当てられているサブアドレスと、該携帯電話機１がマスタかリザーブかを示す設定情報とを対応づけた情報である。
【００３２】
図４は、加入者端末データの一例を示す説明図である。図４に示す加入者端末データは、アドレスとしての加入者番号である携帯電話番号と、該加入者の使用端末として登録される携帯電話機１の端末識別番号とを対応づけた情報であって、使用端末として複数の携帯電話機１が登録される場合には、各携帯電話機１の端末識別番号を、マスタ／リザーブのスイッチ機能（切り替え機能）付きのリスト情報として対応づけた例である。具体的には、加入者端末データとして、携帯電話番号と、１つの端末識別番号または複数の端末識別番号をリスト化して保持している端末識別番号リストのリスト番号とを対応づけた情報を保持するようにしてもよい。そして、端末識別番号リストとして、各携帯電話機１の端末識別番号と、マスタかリザーブかを示す設定情報と、割り当てられているサブアドレスとを対応づけた情報を保持するようにしてもよい。なお、携帯電話番号と加入者番号とが一意ではない場合には、加入者番号と、加入者アドレス情報としての携帯電話番号と、端末識別番号とを対応づけて保持するようにすればよい。または、加入者番号と端末識別番号とを対応づけて保持するとともに、別途加入者番号と、加入者アドレス情報としての携帯電話番号とを対応づけて保持するようにしてもよい。
【００３３】
図４には、携帯電話番号”０９０１１１・・・（下桁省略）”と、端末識別番号”１００２９８１１４９２１２”とが対応づけられて保持されている例が示されている。これは、ある加入者に割り当てられている携帯電話番号に対し１つの携帯電話機１が使用端末として登録されていることを示している。なお、１つの携帯電話番号に対し１つの携帯電話機１が使用端末として登録されている場合であっても、その携帯電話機１にサブアドレス”１”や”マスタ”設定が登録されているものとして扱うことも可能である。
【００３４】
また、図４には、携帯電話番号”０９０１１２・・・”と、端末識別番号リストのリスト番号”Ｌｉｓｔ８０５４７”とが対応づけられて保持されている例が示されている。そして、リスト番号”Ｌｉｓｔ８０５４７”の端末識別番号リストとして、｛サブアドレス”１”，”マスタ”設定，端末識別番号”８００４７８７８２７６３０”｝と、｛サブアドレス”２”，”リザーブ”設定，端末識別番号”８００４７８７８２７６３１”｝とが登録されている例が示されている。これは、ある加入者に割り当てられている携帯電話番号に対し２つの携帯電話機１が使用端末として登録されていることを示している。また、サブアドレス”１”が割り当てられている端末識別番号”８００４７８７８２７６３０”の携帯電話機１がマスタとして登録され、サブアドレス”２”が割り当てられている端末識別番号”８００４７８７８２７６３１”の携帯電話機１がリザーブとして登録されていることを示している。なお、リスト番号”Ｌｉｓｔ８０５４８”の端末識別番号リストには、３つの携帯電話機１が使用端末として登録され、そのうちのサブアドレス”２”が割り当てられている携帯電話機１がマスタとして登録されている例が示されている。
【００３５】
次に、本実施形態の動作について説明する。なお、本実施形態の動作の説明において、以下、携帯電話機１ａ−１にはサブアドレス”１”が、携帯電話機１ａ−２にはサブアドレス”２”が割り当てられているものとする。また、特に明記しない限り、加入者端末管理装置３において、携帯電話機１ａ−１がマスタとして、携帯電話機１ａ−２がリザーブとして登録されているものとする。
【００３６】
まず、通常サービスとしての携帯端末間通話を行う場合の動作について説明する。図５および図６は、この場合の当該システムの動作例を示す流れ図である。なお、図５は、マスタ／リザーブ対応の携帯電話機１ａ−１を用いて、加入者Ｂに対し発呼する場合の動作の例を示す流れ図である。また、図６は、マスタ／リザーブ対応でない携帯電話機１ｂを用いて、加入者Ａに対し発呼する場合の動作の例を示す流れ図である。なお、図５および図６に示す例では、加入者端末管理装置３において、携帯電話機１ａ−１がマスタ設定として登録され、携帯電話機１ａ−２がリザーブ設定として登録されているものとする。
【００３７】
図５に示すように、まず、携帯電話機１ａ−１の制御部１２は、ユーザからの発呼操作を受け付けると（ステップＳ１１）、入力される電話番号を着呼先として指定した発呼要求を管理局に向けて送信する（ステップＳ１２）。発呼要求は、管理局に他の端末との通話を求める情報である。発呼要求には、着呼先および発呼元を示す情報が含まれている。なお、着呼先を示す情報には加入者アドレスとしての電話番号を格納する。また、発呼元を示す情報には、少なくとも発呼元の端末を特定できる情報（以下、端末特定情報と呼ぶ。）を格納する。なお、端末特定情報とは、例えば、端末識別番号であってもよい。また、当該携帯電話機１に対応づけられたフルアドレスであってもよい。また、例えば、端末識別番号とフルアドレスの組であってもよい。なお、発呼要求に限らず、管理局に所定の制御を求める情報のことを総称して制御要求と呼ぶ場合がある。また、制御部１２は、予めシステムが定めたメッセージフォーマットに従って制御要求を作成する。
【００３８】
携帯電話機１ａ−１から送信された発呼要求は、該携帯電話機１ａ−１と無線通信を行っている無線基地局に受信されることでコアネットワーク２に設けられた管理局に送信される。管理局では、発呼要求を受け付けると、発呼元端末の認証および着呼先端末の特定を行った上で、特定した着呼先端末に向けて着信通知を兼ねた接続要求を送信する（ステップＳ１３〜Ｓ１５）。
【００３９】
本実施の形態では、発呼元端末の認証の一部（マスタ確認）および着呼先端末の特定を加入者端末管理装置３が行う。例えば、発呼要求を終端する移動通信交換局が、受信した発呼要求に含まれる発呼元を示す情報に格納されている端末特定情報（ここでは、携帯電話機１ａ−１の端末識別番号やフルアドレス）を指定したマスタ確認要求を加入者端末管理装置３に送信するようにしてもよい。加入者端末管理装置３の制御部３２は、マスタ確認要求を受信すると、加入者端末データ記憶部３４に記憶されている加入者端末データを参照して、端末特定情報によって特定される携帯電話機１がマスタ設定であるか否かを確認してもよい。なお、１つの携帯電話番号に対し１つの携帯電話機１が使用端末として登録されている場合には、該携帯電話機１がマスタ設定であるとすればよい。そして、制御部３２は、マスタ設定であるか否かを示す確認結果を含むマスタ確認応答を移動通信交換局に送信すればよい。
【００４０】
また、移動通信交換局は、受信した発呼要求に含まれる着呼先を示す情報に格納されている加入者アドレスとしての電話番号（ここでは、加入者Ｂに対し割り当てられた携帯電話番号）を確認し、該電話番号が当該システムにおける加入者に対し割り当てられたものである場合には、該電話番号を指定した着信先端末特定要求を加入者端末管理装置３に送信するようにしてもよい。加入者端末管理装置３の制御部３２は、着信先端末特定要求を受信すると、加入者端末データ記憶部３４に記憶されている加入者端末データを参照して、該電話番号を加入者アドレスとする加入者番号に対応づけられて登録されている使用端末のうち、マスタ設定である端末を着信先端末に特定してもよい。なお、１つの携帯電話番号に対し１つの携帯電話機１が使用端末として登録されている場合には、該携帯電話機１がマスタ設定であるとすればよい。なお、万一、使用端末のいずれもマスタとして登録されていない場合には、デフォルトでマスタ設定とされている端末を着信端末として特定するようにしてもよい。そして、制御部３２は、特定した着信端末を示す情報を含む着信先端末特定応答を移動通信交換局に送信すればよい。
【００４１】
管理局では、このように、移動通信交換局が加入者端末管理装置３からのマスタ確認応答および着信先端末特定応答を受けて、発呼元端末がマスタ設定であることを確認した上で、特定された着呼先端末に向けて着信通知を兼ねた接続要求を送信すればよい（ステップＳ１４のＹｅｓ，Ｓ１５）。接続要求は、着信先端末として特定された携帯電話機１と無線通信を行っている無線基地局を介して着信先端末に送信される。なお、発呼元端末がマスタ設定でなかった場合には、発呼不可を示す切断通知を発呼元の端末に送信すればよい（ステップＳ１４のＮｏ，Ｓ１６）。なお、接続要求または切断通知の送信以降は、通常の呼接続シーケンスに従った処理を行えばよい。
【００４２】
また、着信先の番号が当該システム内における携帯電話機１に対し割り当てられたものでない場合には、着信先端末の特定は行わずに、他の通信事業者によるネットワークとの相互接続を行うための呼接続シーケンスに従った処理を行えばよい。
【００４３】
なお、管理局は、通常サービスとしての携帯端末間通信の発呼要求に対する接続要求には、発呼元アドレスとして発呼元端末の加入者アドレスを格納するようにしてもよい。なお、管理局の構成（移動通信交換局と加入者端末管理装置３との関係等）は、上記で示した例に限定されない。
【００４４】
なお、図５に示す例では、携帯電話機１ａ−１からの発呼要求は、加入者端末管理装置３において携帯電話機１ａ−１がマスタ設定であることが確認されることにより、正常に受け付けられ、着呼先として指定した携帯電話機１ｂに接続要求となって送信されることになる。なお、携帯電話機１ａ−２からの発呼要求であった場合には、加入者端末管理装置３において携帯電話機１ａ−２がリザーブ設定であることが確認されることにより、発呼不可として、切断通知となって返信されることになる。
【００４５】
次に、図６を参照して、マスタ／リザーブ対応でない携帯電話機１ｂを用いて、加入者Ａに対し発呼する場合について説明する。なお、通常サービスとしての携帯端末間通話を行うという点において、各装置が行う動作は図５に示す動作と同様でよい。図６に示すように、携帯電話機１ｂの制御部１２は、ユーザからの発呼操作を受け付けると（ステップＳ１１）、入力される電話番号を着呼先として指定した発呼要求を管理局に向けて送信する（ステップＳ１２）。ここでは、発呼要求の発呼元を示す情報には、携帯電話機１ｂを特定できる端末特定情報（例えば、携帯電話機１ｂの端末識別番号やフルアドレス）が格納される。また、着呼先を示す情報には、加入者Ａに割り当てられている加入者アドレス（携帯電話番号）が格納される。
【００４６】
携帯電話機１ｂから送信された発呼要求は、該携帯電話機１ｂと無線通信を行っている無線基地局に受信されることでコアネットワーク２に設けられた管理局に送信される。管理局では、発呼要求を受け付けると、例えば、発呼要求を終端する移動通信交換局が、受信した発呼要求に含まれる発呼元を示す情報に格納されている端末特定情報を指定したマスタ確認要求を加入者端末管理装置３に送信する。
【００４７】
加入者端末管理装置３の制御部３２は、マスタ確認要求を受信すると、加入者端末データ記憶部３４に記憶されている加入者端末データを参照して、端末特定情報（端末識別情報やフルアドレス）によって特定される携帯電話機１がマスタ設定であるか否かを確認する。ここでは、加入者Ｂに割り当てられている携帯電話番号に対し携帯電話機１ｂだけが使用端末として登録されているため、携帯電話機１ｂはマスタ設定であると判定される。
【００４８】
また、移動通信交換局は、受信した発呼要求に含まれる着呼先を示す情報に格納されている加入者アドレスとしての電話番号（ここでは、加入者Ａに対し割り当てられた携帯電話番号）を確認し、電話番号を指定した着信先端末特定要求を加入者端末管理装置３に送信する。加入者端末管理装置３の制御部３２は、着信先端末特定要求を受信すると、加入者端末データ記憶部３４に記憶されている加入者端末データを参照して、該電話番号を加入者アドレスとする加入者番号に対応づけられて登録されている使用端末のうち、マスタ設定である端末を着信先端末に特定する。ここでは、携帯電話機１ａ−１が着信先端末として特定される。
【００４９】
そして、管理局は、発呼元端末の認証および着呼先端末の特定を行った上で、特定した着呼先端末に向けて着信通知を兼ねた接続要求を送信する（ステップＳ１３〜Ｓ１５）。
【００５０】
次に、マスタ／リザーブの切り替えを行う場合の動作について説明する。図７は、この場合の当該システムの動作例を示す流れ図である。なお、図７に示す例では、加入者端末管理装置３において、携帯電話機１ａ−１がマスタ設定として登録され、携帯電話機１ａ−２がリザーブ設定として登録されているものとする。
【００５１】
なお、マスタ／リザーブの切り替えを行う場合には、携帯電話機１においてユーザが正規のユーザであるか否かを認証させることが望ましい。図７に示す例では、まず、携帯電話機１ａ−２の制御部１２が、ユーザからの認証操作によって、当該携帯電話機１ａ−２の正規のユーザであることが認証されると、メニュー表示を切り替えて、マスタ切替操作を受け付け可能にする（ステップＳ３１）。そして、ユーザからのマスタ切替操作を受け付けると（ステップＳ３２）、マスタ切替要求を管理局に向けて送信する（ステップＳ３３）。マスタ切替要求は、管理局に当該携帯端末を主端末として登録する旨を求める情報である。マスタ切替要求には、要求元を示す情報が含まれている。ここで、要求元を示す情報には、少なくとも当該携帯電話機１の端末特定情報を格納する。
【００５２】
携帯電話機１ａ−２から送信されたマスタ切替要求は、該携帯電話機１ａ−２と無線通信を行っている無線基地局に受信されることでコアネットワーク２に設けられた管理局に送信される。管理局では、マスタ切替要求を受け付けると、要求元端末のリザーブ確認およびマスタ端末の特定を行った上で（ステップＳ３４）、該当する加入者の加入者端末データを書き換える（ステップＳ３５）。
【００５３】
本実施の形態では、要求元端末のリザーブ確認およびマスタ端末の特定および加入者端末データを書き換えを加入者端末管理装置３が行う。例えば、マスタ切替要求を終端する移動通信交換局が、受信したマスタ切替要求を加入者端末管理装置３に転送するようにしてもよい。加入者端末管理装置３の制御部３２は、マスタ切替要求を受信すると、加入者端末データ記憶部３４に記憶されている加入者端末データを参照して、マスタ切替要求に含まれる要求元を示す情報に格納されている端末特定情報（ここでは、携帯電話機１ａ−２の端末識別番号やフルアドレス）によって特定される携帯電話機１がどの加入者の使用端末であるかを特定した上で、該携帯電話機１がリザーブ設定であるか否かを確認するとともに、現在マスタ設定となっている携帯電話機１を特定すればよい。その上で、制御部３２は、要求元の携帯電話機１がリザーブ設定であった場合には、該携帯電話機１をマスタ設定とし、現在マスタ設定となっている携帯電話機１をリザーブ設定とする旨の情報に加入者端末データを書き換えればよい。そして、制御部３２は、マスタ設定からリザーブ設定となった携帯電話機１と、リザーブ設定からマスタ設定となった携帯電話機１とを示す切替結果をマスタ切替応答を移動通信交換局に送信すればよい。
【００５４】
移動通信交換局では、加入者端末管理装置３からのマスタ切替応答を受けて、マスタ設定からリザーブ設定となった携帯電話機１にその旨を知らせる切替通知を送信し、リザーブ設定からマスタ設定となった携帯電話機１にその旨を知らせる切替通知を送信すればよい（ステップＳ３６，３７）。なお、切替通知を送信したい携帯電話機１が圏外や電源ＯＦＦ状態であるために切替通知を送信できない場合には、管理局で、一旦その切替通知を保持しておき、その携帯電話機１が次の位置登録を管理局に対し行った際に、再送するようにしてもよい。または、携帯電話機１側で位置登録の要求に、携帯電話機１が認識しているマスタ設定かリザーブ設定かを示す設定情報を付加して送信するようにしてもよい。管理局側では、切替通知を保持することなく、位置登録の要求に含まれる設定情報と加入者端末データの設定情報との不一致を確認した場合に、切替通知を送信するようにしてもよい。
【００５５】
このように、本実施の形態によれば、使用していた携帯電話機１を紛失したり、故障させたり、持ち歩き忘れたりして、該携帯電話機１を使用できない状況になった場合であっても、予めリザーブ端末として登録しておいた他の携帯電話機１をかばんに準備していたり、仕事先の自席に保管していたりしてリザーブ端末なら使用可能という状況であれば、そのリザーブ端末をマスタ端末に切り替えることによって、継続して通常サービス（その使用者の加入者アドレスを用いた通信）を利用することが可能となる。
【００５６】
なお、異なる携帯電話機１で継続して通常サービスを利用する場合には、元のマスタ端末からアドレス帳などのデータを引き継げることが好ましい。
【００５７】
このため、本発明では、サブアドレスを用いて使用端末間通信を提供するようにし、その使用端末間通信においてアドレス帳などのデータ転送が行えるようにする。
【００５８】
図８は、使用端末間通信を行う場合の当該システムの動作例を示す流れ図である。なお、図８に示す例では、加入者端末管理装置３において、携帯電話機１ａ−１がマスタ設定として登録され、携帯電話機１ａ−２がリザーブ設定として登録されているものとする。
【００５９】
図８に示すように、まず、携帯電話機１ａ−２の制御部１２は、ユーザからのサブ端末発呼操作を受け付けると（ステップＳ４１）、入力されるサブアドレスを着呼先として指定した使用端末間通信発呼要求（図８におけるサブ端末発呼要求）を管理局に向けて送信する（ステップＳ４２）。なお、ここでサブ端末とは、当該携帯電話機１の使用者から見た各使用端末を指している。使用端末間通信発呼要求は、管理局に、当該携帯電話機１の使用者である加入者の他の使用端末との通信を求める情報である。使用端末間通信発呼要求には、着呼先および発呼元を示す情報が含まれている。なお、着呼先を示す情報にはサブアドレスを格納する。また、発呼元を示す情報には少なくとも発呼元端末の端末特定情報を格納する。
【００６０】
図８に示す例では、携帯電話機１ａ−２（リザーブ端末）から送信された使用端末間通信発呼要求は、該携帯電話機１ａ−２と無線通信を行っている無線基地局に受信されることでコアネットワーク２に設けられた管理局に送信される。管理局では、使用端末間通信発呼要求を受け付けると、着呼先端末の特定を行った上で（ステップＳ４３）、特定した着呼先端末に向けて使用端末間通信の着信通知を兼ねた接続要求を送信する（ステップＳ４４）。なお、発呼元端末の認証として、発呼端末が主端末であるか否かの確認を不要とする点、および着呼先端末の特定を、使用端末間通信発呼要求の着呼先を示す情報に格納されているサブアドレスと、発呼元を示す情報に格納されている端末特定情報とに基づいて行う点を除けば、通常サービスとしての携帯端末間通話を行う場合と同様でよい。
【００６１】
なお、管理局は、携帯端末間通信発呼要求に対する接続要求には、使用端末間通信における着信である旨を示す情報と、発呼元端末のサブアドレスを格納した発呼元アドレスとを含めるようにしてもよい。そして、着呼先端末は、例えば、接続要求を受信した場合に、使用端末間通信における着信である旨を示す情報が含まれている場合には、該携帯電話機１の使用者からの着信である旨がユーザにわかるような呼び出しを行うようにしてもよい。このような機能は、例えば、携帯端末を紛失した場合において、その携帯端末を拾ってくれた拾得者に応答してほしい場合に有効である。
【００６２】
なお、上記動作を実施するための携帯電話機１は、例えば、マスタ／リザーブ対応端末用制御プログラムが、ユーザ操作に応じて、携帯電話機１の使用者の他の使用端末との通信を求める制御要求を管理局に送信したり、前記制御要求を送信することによって管理局から受信される接続要求に応じて前記他の使用端末と通信回線を確立したりする使用端末間通信処理を含むことによって実現される。
【００６３】
図９は、使用端末間通信を用いて、アドレス帳などのデータ転送を行う場合の当該システムの動作例を示す流れ図である。図９に示す例では、加入者端末管理装置３において、携帯電話機１ａ−１がマスタ設定として登録され、携帯電話機１ａ−２がリザーブ設定として登録されているものとする。なお、本例において、携帯電話機１ａ−２は、携帯電話機１ａ−１からのマスタ切替要求によりリザーブ設定に切り替えられた携帯電話機１であるものとする。すなわち、リザーブ設定である携帯電話機１ａ−２に、それまで利用していたアドレス帳などのデータが記憶されているものとする。
【００６４】
なお、データ転送を行う場合には、携帯電話機１においてユーザが正規のユーザであるか否かを認証させることが望ましい。本例では、まず、携帯電話機１ａ−１の制御部１２が、ユーザからの認証操作によって、当該携帯電話機１ａ−１の正規のユーザであることが認証されると、メニュー表示を切り替えて、データ転送操作を受け付け可能にする（ステップＳ５１）。そして、ユーザからのデータ転送操作を受け付けると（ステップＳ５２）、入力されるサブアドレス（ここでは、携帯電話機１ａ−２に割り当てられているサブアドレス）を着呼先として指定した使用端末間データ通信発呼要求（図９におけるサブ端末発呼要求：データ通信）を管理局に向けて送信する要求を管理局に向けて送信する（ステップＳ５３）。使用端末間データ通信発呼要求は、管理局に、当該携帯電話機１の使用者である加入者の他の使用端末とのデータ通信を求める情報である。使用端末間データ通信発呼要求は、着呼先および発呼元を示す情報の他に、データ通信である旨の情報が含まれている。なお、着呼先を示す情報にはサブアドレスを格納する。また、発呼元を示す情報には少なくとも発呼元端末の端末特定情報を格納する。
【００６５】
携帯電話機１ａ−１（マスタ端末）から送信された使用端末間データ通信発呼要求は、該携帯電話機１ａ−１と無線通信を行っている無線基地局に受信されることでコアネットワーク２に設けられた管理局に送信される。管理局では、使用端末間データ通信発呼要求を受け付けると、着呼先端末の特定を行った上で（ステップＳ５４）、特定した着呼先端末に向けて使用端末間データ通信の着信通知を兼ねた接続要求を送信する（ステップＳ５５）。接続要求は、着信先端末として特定された携帯電話機１（ここでは、携帯電話機１ａ−２）と無線通信を行っている無線基地局を介して着信先端末に送信される。なお、通信種別がデータ通信である点を除けば、使用端末間通信を行う場合と同様である。管理局は、携帯端末間データ通信発呼要求に対する接続要求には、使用端末間データ通信における着信である旨を示す情報と、発呼元端末のサブアドレスを格納した発呼元アドレスとを含めるようにしてもよい。
【００６６】
接続要求を受信した携帯電話機１ａ−２（リザーブ端末）は、接続要求を受信した場合に、使用端末間データ通信における着信である無枝を示す情報が含まれている場合には、呼び出し動作を行わずに自動応答するようにして（ステップＳ５２）、発呼元端末との間の通信回線を確立させるようにしてもよい。
【００６７】
例えば、発呼元端末の制御部１２は、使用端末間データ通信の通信回線が確立すると、データ転送操作時に指示されたデータを読み出す旨を求めるデータ読出要求を通信回線を介して着呼先端末に送信してもよい（ステップＳ５３）。そして、データ読出要求を受信した着呼先端末の制御部１２は、受信したデータ読出要求に応じて、当該携帯電話機１に記憶されているデータを読み出し、読み出したデータを含むデータ読出応答を通信回線を介して発呼元端末に送信してもよい（ステップＳ５４）。データ読出応答を受信した発呼もと端末の制御部１２は、データ読出応答に含まれるデータを、当該携帯電話機１に記憶することによって、データ転送を行う。なお、データ読出要求には、どのデータを読み出すかを示す情報（データ種別や、データインデックス、データのアドレスやサイズ等）を含めればよい。
【００６８】
このように、本実施の形態によれば、例えばアドレス帳を指定したデータ転送要求を行うことによって、切り替え前のマスタ端末で使用していたアドレス帳を、切り替え先のマスタ端末で継続して使用することが可能となる。なお、データ転送の対象となるデータは、アドレス帳に限らず、発着信履歴や、画像、ゲーム用アプリケーション、音楽用アプリケーション等であってもよい。
【００６９】
なお、データ転送シーケンスとしては、例えば、データを書き込む旨を求めるデータ書込要求を行うことによって、リザーブ端末をデータの保存用端末として使用することも可能である。なお、データ書込要求には、どのデータを書き込むかを示す情報（データ種別や、データインデックス、データのアドレスやサイズ等）と、書き込むデータとを含めればよい。また、データ書込要求先となる着呼先端末が、該携帯電話機１と接続されている記憶装置（外部記憶装置や、パーソナルコンピュータ上の記憶装置等）に対して自動でデータを読み書きするインタフェースを備えている場合には、その接続先の記憶装置をもデータの保存用として使用することが可能である。
【００７０】
なお、上記動作を実施するための携帯電話機１は、例えば、マスタ／リザーブ対応端末用制御プログラムが、ユーザ操作に応じて、携帯電話機１の使用者の他の使用端末とのデータ通信を求める使用端末間データ通信発呼要求を管理局に送信するデータ通信要求処理と、使用端末間データ通信発呼要求を送信することによって確立される前記他の使用端末との通信回線上に、携帯電話機１が備える記憶装置から読み出した所定のデータを送出するデータ送出処理と、使用端末間データ通信発呼要求を送信することによって確立される前記他の使用端末との通信回線上に送信されたデータを受信し、受信したデータを当該携帯端末が備える記憶装置の所定領域に書き込むデータ書込処理とを含むことによって実現される。
【００７１】
なお、上記実施の形態では、使用端末を紛失した際に、拾得者に応答してもらえるよう使用端末間通信を用いる例を示したが、より早く使用端末を見つけるための機能として、着信音量の設定変更や、電源ＯＦＦ操作の無効、通常サービスのロック等が遠隔操作によって行えることが好ましい。また、他の使用端末の所在地の表示が行えることが好ましい。
【００７２】
まず、遠隔操作による着信音量の設定変更の動作について説明する。図１０は、サブ端末の呼び出し中に着信音量の設定変更を行う場合の当該システムの動作例を示す流れ図である。なお、図１０に示す例は、使用端末間通信の呼び出し中に、着呼先端末の着信音量の変更を要求する場合の例である。なお、図１０において、使用端末間通信の呼び出しを行うまでの動作（ステップＳ４１〜Ｓ４４）は、図８に示す例と同様である。なお、着呼先端末の着信音量の変更を行う場合には、要求元の携帯電話機１においてユーザが正規のユーザであるか否かを認証させることが望ましい。図１０に示す例では、携帯電話機１ａ−２の制御部１２が、ユーザからの認証操作によって、当該携帯電話機１ａ−２の正規のユーザであることが認証されることによって、携帯電話機１を認証解除状態とする（ステップＳ６１）。なお、ユーザからの認証操作は、使用端末間通信の呼び出し中のメニュー表示から行わせてもよい。
【００７３】
使用端末間通信発呼要求を管理局に送信することによって、着呼先端末が呼び出し中になると、認証解除状態であれば、メニュー表示を切り替えて着信音量変更操作を受け付け可能にする。そして、ユーザからの着信音量変更操作を受け付けると（ステップＳ６２）、着呼先端末に対し着信音量の変更を求める着信音量変更要求を管理局に送信する（ステップＳ６２）。着信音量変更要求には、どのように着信音量を変更するかを示す情報が含まれる。例えば、着信音量を鳴動とする旨の情報や、最大とする旨の情報が格納される。
【００７４】
携帯電話機１ａ−２から送信された着信音量変更要求は、管理局を介して着呼先端末である携帯電話機１ａ−１に送信される（ステップＳ６３）。管理局は、例えば、使用端末間通信の呼び出し中における携帯電話機１からの着呼先の端末に対する制御要求を受信した場合には、そのまま着呼先端末に転送するようにすればよい。
【００７５】
着信音量変更要求を受信した携帯電話機１ａ−１は、着信音量変更要求に従って、当該携帯電話機１ａ−１の着信音量の設定を変更する（ステップＳ６４）。
【００７６】
このように、着呼先端末の着信音量の変更を遠隔操作で行うことによって、行方不明の使用端末を容易に見つけだすことが可能になる。しかし、相手先端末が電車内にあったり、会社内にあったりする場合には、他の使用端末から着信音量の設定を変更できないようにする機能を有していてもよい。例えば、ユーザ認証の上、消音を解除できないような状態にしてもよい。また、着信音量の変更だけでなく、着信時における鳴動動作の設定を変更できるようにしてもよい。例えば、「この携帯電話機の所有者です。応答をお願いします。」などの音声を鳴動させるよう設定の変更を行うことも考えられる。なお、使用端末間通信の呼び出し中に限らず、認証解除状態であれば、アイドル中等にも着信音量の設定変更を行えるようにしてもよい。
【００７７】
なお、上記動作を実施するための携帯電話機１は、例えば、マスタ／リザーブ対応端末用制御プログラムが、ユーザ操作に応じて、他の使用端末の設定の変更を求める制御要求（ここでは、着信音量変更要求）を管理局に送信する設定変更要求処理と、管理局から転送される制御要求に応じて、携帯電話機１の設定を変更する設定変更実行処理とを含むことによって実現される。
【００７８】
次に、遠隔操作による電源ＯＦＦ操作の無効動作について説明する。図１１は、遠隔操作によって電源ＯＦＦ操作の無効を行う場合の当該システムの動作例を示す流れ図である。なお、電源ＯＦＦ操作の無効を行う場合においても、要求元の携帯電話機１においてユーザが正規のユーザであるか否かを認証させることが望ましい。図１１に示す例では、携帯電話機１ａ−２の制御部１２が、ユーザからの認証操作によって、当該携帯電話機１ａ−２の正規のユーザであることが認証されることによって、携帯電話機１を認証解除状態とし、メニュー表示を切り替えて電源ＯＦＦロック要求操作を受け付け可能にする（ステップＳ７１）。
【００７９】
携帯電話機１ａ−２の制御部１２は、ユーザからの電源ＯＦＦロック要求操作を受け付けると（ステップＳ７２）、入力されたサブアドレスに対応する使用端末に対し電源ＯＦＦ操作の無効を求める電源ＯＦＦロック要求を管理局に送信する（ステップＳ７２）。電源ＯＦＦロック要求には、要求先を示す情報と要求元を示す情報とが含まれている。なお、要求先を示す情報には入力されたサブアドレスを格納する。また、要求元を示す情報には、少なくとも要求元端末の端末特定情報を格納する。
【００８０】
携帯電話機１ａ−２から送信された電源ＯＦＦロック要求は、管理局を介して要求先端末である携帯電話機１ａ−１に送信される（ステップＳ７３）。管理局は、例えば、電源ＯＦＦロック要求に含まれる要求先および要求元を示す情報に基づいて、要求先端末を特定した上で、そのまま要求先端末に転送するようにすればよい。なお、要求先端末の特定方法は、使用端末間通信の着呼先端末の特定方法と同様である。
【００８１】
電源ＯＦＦロック要求を受信した携帯電話機１ａ−１は、電源ＯＦＦロック要求に従って、当該携帯電話機１ａ−１の電源ＯＦＦ操作を無効とする（ステップＳ７４）。なお、電源ＯＦＦロック要求を転送したい携帯電話機１が圏外や電源ＯＦＦ状態であるために電源ＯＦＦロック要求を転送できない場合には、管理局で、一旦その電源ＯＦＦロック要求を保持しておき、その携帯電話機１が次の位置登録を管理局に対し行った際に、再送するようにしてもよい。
【００８２】
このように、電源ＯＦＦ操作の無効を遠隔操作で行うことによって、例えば、盗難者によって所在地情報を取得できないようにすることを狙ったユーザ操作による電源ＯＦＦ操作を無効とすることができる。なお、図１１に示すように、電源ＯＦＦ操作を無効とした後は、当該携帯電話機１を認証未解除状態にするようにしてもよい。
【００８３】
また、電源ＯＦＦ操作の無効の遠隔操作と同様の動作によって、使用端末間通信以外に係る操作以外の操作の無効の遠隔操作を行うことも可能である。そのような場合には、電源ＯＦＦロック無効要求の代わりに、使用端末間通信以外に係る操作以外の操作の無効を求める機能ロック要求を送信するようにすればよい。そして、機能ロック要求を受信した要求先端末において、機能ロックを行うようにすればよい。
【００８４】
なお、上記動作を実施するための携帯電話機１は、例えば、マスタ／リザーブ対応端末用制御プログラムが、ユーザ操作に応じて、他の使用端末の設定の変更を求める制御要求（ここでは、電源ＯＦＦロック無効要求や機能ロック要求）を管理局に送信する設定変更要求処理と、管理局から転送される制御要求に応じて、携帯電話機１の設定を変更する設定変更実行処理とを含むことによって実現される。
【００８５】
次に、他の使用端末の所在地の表示動作について説明する。図１２は、携帯電話機１において他の使用端末の所在地の表示を行う場合の当該システムの動作例を示す流れ図である。なお、他の使用端末の所在地の表示を行う場合においても、要求元の携帯電話機１においてユーザが正規のユーザであるか否かを認証させることが望ましい。図１２に示す例では、携帯電話機１ａ−２の制御部１２が、ユーザからの認証操作によって、当該携帯電話機１ａ−２の正規のユーザであることが認証されることによって、携帯電話機１を認証解除状態とし、メニュー表示を切り替えて他の使用端末所在地取得操作を受け付け可能にする（ステップＳ８１）。
【００８６】
携帯電話機１ａ−２の制御部１２は、ユーザからの他の使用端末所在地取得操作を受け付けると（ステップＳ８２）、入力されたサブアドレスに対応する使用端末の所在地を示す情報を求める位置情報取得要求を管理局に送信する（ステップＳ８３）。位置情報取得要求には、所在地を求める対象を示す情報と要求元を示す情報とが含まれている。なお、対象を示す情報には入力されたサブアドレスを格納する。また、要求元を示す情報には、少なくとも要求元端末の端末特定情報を格納する。
【００８７】
携帯電話機１ａ−２から送信された位置情報取得要求は、該携帯電話機１ａ−２と無線通信を行っている無線基地局に受信されることでコアネットワーク２に設けられた管理局に送信される。管理局では、位置情報取得要求を受け付けると、対象端末の特定を行った上で（ステップＳ８４）、特定した対象端末の所在地を検出し（ステップＳ８５）、検出した所在地を示す情報を含む位置情報取得応答を要求元端末に送信する（ステップＳ８６）。ここで、管理局は、例えば、対象端末と無線通信を行っている無線基地局を特定することによって、対象端末の所在地を検出してもよい。このような場合には、無線基地局の位置を示す情報が対象端末の所在地を示す情報として要求元端末に送信されることになる。または、携帯電話機１が位置検出手段（ＧＰＳ信号を受信する受信手段等）を備えている場合には、管理局は、対象端末に当該携帯電話機１の所在地を示す情報を求める位置情報取得要求を送信し、その応答として位置情報取得応答を受信することによって、対象端末の所在地を検出してもよい。そして、受信した位置情報取得応答を要求元端末に転送してもよい。このような場合には、対象端末が検出した位置情報（例えば、ＧＰＳ信号）が対象端末の所在地を示す情報として要求元端末に送信されることになる。
【００８８】
管理局から位置情報取得応答を受信した要求元端末は、位置情報取得応答で示される対象端末の所在地を表示する（ステップＳ８７）。
【００８９】
このように、他の使用端末の所在地の表示を行うことによって、例えば、着信音量が聞こえる範囲に使用端末がない場合であっても、行方不明の使用端末を容易に見つけだすことが可能になる。
【００９０】
なお、上記動作を実施するための携帯電話機１は、例えば、マスタ／リザーブ対応端末用制御プログラムが、ユーザ操作に応じて、他の使用端末の所在地を示す情報を求める制御要求（ここでは、位置情報取得要求）を管理局に送信する使用端末所在地要求処理と、管理局から送信される前記他の使用端末の所在地を示す情報を表示する使用端末所在地表示処理とを含むことによって実現される。
【００９１】
なお、上記実施例では、加入者が使用端末のサブアドレスを直接入力する例を示しているが、例えば、サブアドレス記憶部１４に、当該携帯電話機１の使用者である加入者の全使用端末のサブアドレスを記憶した上で、当該携帯電話機１に割り当てられているサブアドレスがどれかを示す情報を記憶するようにし、携帯電話機１が当該携帯電話機１の使用者である加入者の使用端末のサブアドレスをリスト化して表示し、選択させることによって、サブアドレスの入力を行うようにしてもよい。また、携帯電話機１は、現在当該携帯電話機１がリザーブ端末であるかマスタ端末であるかを示す情報を保持しておくようにし、当該携帯電話機１がリザーブ設定である場合には、通常サービスにおける通信の発呼を拒否するようにしてもよい。
【産業上の利用可能性】
【００９２】
本発明は、携帯電話機やＰＨＳ等の携帯端末を用いた通信サービスを提供する無線通信システムであれば、好適に適用可能である。
【図面の簡単な説明】
【００９３】
【図１】本発明による無線通信システムの構成例を示すブロック図である。
【図２】本発明の携帯端末の構成例を示すブロック図である。
【図３】加入者端末管理装置３の構成例を示すブロック図である。
【図４】加入者端末データの一例を示す説明図である。
【図５】通常サービスとしての携帯端末間通話を行う場合の動作例を示す流れ図である。
【図６】通常サービスとしての携帯端末間通話を行う場合の動作例を示す流れ図である。
【図７】マスタ／リザーブの切り替えを行う場合の当該システムの動作例を示す流れ図である。
【図８】使用端末間通信を行う場合の当該システムの動作例を示す流れ図である。
【図９】使用端末間通信を用いてデータ転送を行う場合の当該システムの動作例を示す流れ図である。
【図１０】遠隔操作による着信音量の設定変更を行う場合の当該システムの動作例を示す流れ図である。
【図１１】遠隔操作による電源ＯＦＦ操作の無効を行う場合の当該システムの動作例を示す流れ図である。
【図１２】他の使用端末の所在地の表示を行う場合の当該システムの動作例を示す流れ図である。
【符号の説明】
【００９４】
１  携帯電話機
１１  ネットワークインタフェース
１２  制御部
１３  記憶装置
１４  サブアドレス記憶部
２  コアネットワーク
３  加入者端末管理装置
３１  ネットワークインタフェース
３２  制御部
３３  記憶装置
３４  加入者端末データ記憶部
【図１】
2009027416.tif 000003
【図２】
2009027416.tif 000004
【図３】
2009027416.tif 000005
【図４】
2009027416.tif 000006
【図５】
2009027416.tif 000007
【図６】
2009027416.tif 000008
【図７】
2009027416.tif 000009
【図８】
2009027416.tif 000010
【図９】
2009027416.tif 000011
【図１０】
2009027416.tif 000012
【図１１】
2009027416.tif 000013
【図１２】
2009027416.tif 000014